(57)【要約】【課題】  回転部品の取付板への取付が容易に行なえる取付機構を提供すること。【解決手段】  円形中心孔を有する環状板部と、この環状板部の一方の面側に前記円形中心孔と同軸に突出した支持円筒部と、前記環状板部の一方の面側に前記円形中心孔に連続して前記支持円筒部より長く突出した固定筒部とからなる支持部品を有し、  前記固定筒部は、前記支持円筒部の先端より更に先の内周に、先端に向かって小径となるテーパ面を有し、かつ周方向に三分割以上に分割され、前記支持部品の支持円筒部を回転部品の円形孔に嵌合させ、前記支持部品の固定筒部を取付板の円形固定孔に嵌合させ、固定部品を前記固定筒部内に嵌合させてその先端で前記テーパ面を押圧し、前記固定筒部の先端部を外方へ反らせる。【選択図】図６
2008138690.tif 000002
【特許請求の範囲】
【請求項１】
回転部品（１２）の回転中心に設けられた円形孔（１３）に嵌合する支持部品（１）と、この支持部品を取付板（１１）に設けた円形固定孔（１４）に固定する固定部品（２）とで構成され、
前記支持部品は、円形中心孔（６）を有する環状板部（３）と、この環状板部の一方の面側に前記円形中心孔と同軸に突出した支持円筒部（４）と、前記環状板部の一方の面側に前記円形中心孔に連続して前記支持円筒部より長く突出した固定筒部（５）とからなり、
前記固定筒部は、前記支持円筒部の先端より更に先の内周に、先端に向かって小径となるテーパ面（７）を有し、かつ周方向に三分割以上に分割され、
前記固定部品は、前記環状板部の円形中心孔を挿通して前記固定筒部内に挿入される押し部（８）と、この押し部の基端に設けられた端板部（９）とからなり、
前記支持部品の支持円筒部を回転部品の円形孔に嵌合させ、前記支持部品の固定筒部を取付板の円形固定孔に嵌合させ、前記固定部品の押し部を前記固定筒部内に嵌合させて該押し部の先端で前記テーパ面を押圧し、前記固定筒部の先端部を外方へ反らせることを特徴とする回転部品の取付機構。
【請求項２】
前記固定部品（２）は、その押し部（８）の外周面に、先端側から端板部（９）側に向けて傾斜する複数の突起（２０）を有することを特徴とする請求項１に記載の回転部品の取付機構。
【発明の詳細な説明】
【技術分野】
【０００１】
本発明は、取付板に対して回転部品を容易かつ強固に取付け得る回転部品の取付機構に関する。
【背景技術】
【０００２】
特開昭６３−１６３０１１号公報には、２枚の板Ａ，Ｂを重ねて結合する結合具が示されている。この結合具は主体（１）とピン部材（２）とからなり、主体（１）には正方形状の鍔（３）と鍔の下面から垂下する２つの脚片（５，５）と該脚片の内側面に相対向する係合突起（９）とが設けられている。一方、ピン部材（２）は角柱状をなす軸体部分（６）と、この上端に設けられる頭部（７）とを有する。そこで、２枚の板Ａ，Ｂを互いの角穴同士を合わせた状態で重ね、両角穴内に主体（１）を挿入した後、ピン部材（２）を押圧し主体（１）の脚片（５，５）間に鍔（３）側より挿入し、ピン部材（２）の頭部上面と鍔の上面が面一になるまで押込むと、軸体部分（６）で係合突起（９）を押圧して、両脚片（５，５）を外方に押し拡げ、２枚の板Ａ，Ｂを結合するようになっている。
【０００３】
また、公開平２−６２４１２号公報には２枚のパネル（１６，１８）の間隔をあけて結合する結合装置が示されている。この結合装置は中空体（１２）とピン（１４）とからなり、このピン（１４）は中空体（１２）に挿入可能である。ピン（１４）を中空体（１２）の中に完全に挿入すると、ピン（１４）に大径部（３８）が中空体（１２）の大径孔（３０）内に入り、中空体（１２）の弾性ウイング（４２）の内方への移動を阻止し一方のパネル（１６）を保持するようになっている。また、他方のパネル（１８）はピン（１４）の小径部分（４０）が中空体（１２）の小径孔（３２）及び小径軸部（２６）内に挿入された傾斜面（４８）と係合され、その結果中空体（１２）が外方に拡がり他方のパネル（１８）を保持している。
【特許文献１】特開昭６３−１６３０１１号
【特許文献２】特開平２−６２４１２号
【発明の開示】
【発明が解決しようとする課題】
【０００４】
しかしながら、特開昭６３−１６３０１１号公報に開示された結合具は、２枚の板を重ねて結合することはできても、回転部品を取付板に対して取付けるには不向きであった。
また、公開平２−６２４１２号に開示された結合装置は、２枚の板材の間隔をあけて結合することはできても、回転部品を取付板に対して取付けるには、やはり不向きであった。
【０００５】
本発明は、このような問題に鑑みてなされたもので、取付板に対して回転部品を容易かつ強固に取付けることができ、しかも取付けた部品を円滑に回転させることが可能な回転部品の取付機構を提供することを目的とする。
【課題を解決するための手段】
【０００６】
回転部品の回転中心に設けられた円形孔に嵌合する支持部品と、この支持部品を取付板に設けた円形固定孔に固定する固定部品とで構成されている。
前記支持部品は、円形中心孔を有する環状板部と、この環状板部の一方の面側に前記円形中心孔と同軸に突出した支持円筒部と、前記環状板部の一方の面側に前記円形中心孔に連続して前記支持円筒部より長く突出した固定筒部とからなる。
前記固定筒部は、前記支持円筒部の先端より更に先の内周に、先端に向かって小径となるテーパ面を有し、かつ周方向に三分割以上に分割され、前記固定部品は、前記環状板部の円形中心孔を挿通して前記固定筒部内に挿入される押し部と、この押し部の基端に設けられた端板部とからなる。
そこで、前記支持部品の支持円筒部を回転部品の円形孔に嵌合させ、前記支持部品の固定筒部を取付板の円形固定孔に嵌合させ、前記固定部品の押し部を前記固定筒部内に嵌合させて該押し部の先端で前記テーパ面を押圧し、前記固定筒部の先端部を外方へ反らせて取付板に固定する。
【０００７】
前記固定部品は、その押し部の外周面に、先端側から端板部側に向けて傾斜する複数の突起を有するものとしてもよい。
【発明の効果】
【０００８】
支持部品を、回転部品の円形孔を通して取付板の円形固定孔に嵌合した後、固定部品を支持部品内に嵌合するだけで、取付板に対する回転部品の取付けが容易に行なえる。
前記支持円筒部を回転部品の円形孔に嵌合させ、固定部品の押し部を固定筒部に嵌合させることによって、回転部品が取付板に取り付けられる。従って、取付けた回転部品を円滑に回転させる支持円筒部と取付板に固定する固定筒部とを別々に設けたことにより、取付板に対して回転部品を容易かつ強固に取付けることができ、しかも回転部品を円滑に回転させることができる。
【０００９】
固定部品の押し部の外周面に、その先端側から端板部側に向けて傾斜する複数の突起を設けることによって、これらの突起が外れ防止となり、前記固定筒部への固定部品の嵌合は比較的容易に行なえるが、固定部品が固定筒部から抜け出し難くなる。よって、取付板に対して回転部品を一層強固に取付けることができる。
【発明を実施するための最良の形態】
【００１０】
本発明の第一の実施の形態を、図１〜図６を参照して説明する。
図１および図２に示す支持部品１と図３に示す固定部品２とで取付機構が構成されている。支持部品１および固定部品２は、いずれも合成樹脂で一体形成されている。
前記支持部品１は環状板部３と支持円筒部４と固定筒部５とからなる。前記支持円筒部４は、環状板部３の一方の面側に、環状板部３の円形中心孔６と同軸に突出し、前記固定筒部５は、環状板部３の一方の面側に前記円形中心孔６に連続して前記支持円筒部４より長く突出している。前記固定筒部５は先端部の内周に、先端に向かって小径となるテーパ面７を有し、かつ図２に示すごとく周方向に四等分割されている。テーパ面７は、前記支持円筒部４の先端より更に先の内周に形成されている。
【００１１】
図３に示す前記固定部品２は、前記環状板部３の円形中心孔６を挿通して前記固定筒部５内に挿入される押し部８と、この押し部８の基端に設けられた端板部９とからなる。前記押し部８は円柱形状をなし、先端周縁をテーパ状の摺接縁１０としている。押し部８の外径寸法は、環状板部３の円形中心孔６の内径寸法（図１参照）とほぼ同寸法、ないし押し部８の外径寸法の方を僅かに（１００分の３ないし１００分の１０ミリメートル程度）大きく設定される。
【００１２】
次に、以上のごとく構成された取付機構により、金属製の取付板１１に回転部品１２を取り付ける手順について説明をする。図６は、取付板１１に回転部品１２を取り付けた状態を示している。
【００１３】
まず図４に示すごとく、支持部品１の支持円筒部４を回転部品１２の円形孔１３に嵌合させる。次に図５のごとく、支持部品１の固定筒部５を取付板１１の円形固定孔１４に嵌合させる。なお、円形固定孔１４には、図５における上方縁に面取り１５が施されている。支持円筒部４の先端からテーパ面７までの軸方向長さは、少なくとも取付板１１の板厚から面取り１５部分を差し引いた長さに設定するとよい。
【００１４】
次に、図６のごとく、前記支持部品１の固定筒部５を取付板１１の円形固定孔１４に嵌合させ、前記固定部品２の押し部８を前記固定筒部５内に嵌合させて該押し部８の摺接縁１０を固定筒部５のテーパ面７に当接させる。
【００１５】
さらに図６のごとく端板部９が支持部品１の環状板部３に当接するまで固定部品２を押し込むと、摺接縁１０でテーパ面を押圧し、固定筒部５の先端部を外方へ反らせることになる。これによって、固定筒部５の先端部が取付板１１の円形固定孔１４よりも外方へ拡張されて、支持部品１が取付板１１に強固に固定され、回転部品１２が取付板１１に対して回転自在に取り付けられる。
【００１６】
以上、本発明の実施の形態について説明したが、本発明は、必ずしもこれに限るものではない。
前記の実施の形態においては、取付板１１の円形固定孔１４の縁部には面取りを行なうものとしたが、面取りは必ずしも必要ではない。また、取付板１１は樹脂であってもよい。
さらに、図７に示すように、固定部品２は、その押し部８の外周面に、先端側から端板部９側に向けて傾斜する複数の突起２０を有するものとしてもよい。
このようにすると突起２０が外れ防止となるので、固定部品２の固定筒部５への嵌合は比較的容易に行なえるが、固定部品２が固定筒部５から抜け出し難くなり、取付板１１に対して回転部品１２を一層強固に取付けることができる。
【図面の簡単な説明】
【００１７】
【図１】支持部品の側面図。
【図２】支持部品の平面図。
【図３】固定部品の側面図。
【図４】支持部品を回転部品の円形孔に嵌合した状態を示す断面図。
【図５】図４のものを取付板の円形固定孔に嵌合した状態を示す断面図。
【図６】図５のものに固定部品を嵌合した状態を示す断面図。
【図７】別の実施の形態における固定部品の一部を拡大して示す断面図。
【符号の説明】
【００１８】
１                 
支持部品
２                    固定部品
３                    環状板部
４                    支持円筒部
５                    固定筒部
６                    円形中心孔
７                    テーパ面
８             
押し部
９             
端板部
１１                取付板
１２                回転部品
１３                円形孔
１４                円形固定孔
２０            突起
【図１】
2008138690.tif 000003
【図３】
2008138690.tif 000004
【図７】
2008138690.tif 000005
【図２】
2008138690.tif 000006
【図４】
2008138690.tif 000007
【図５】
2008138690.tif 000008
【図６】
2008138690.tif 000009